(57)【要約】      （修正有）【課題】２つのロック装置を有することで自動ロックとネジロックとの、二重のロック効果が成し遂げられ、その使い勝手が高められる、カッターアセンブリを提供する。【解決手段】カッターアセンブリは、刃物ホルダ１０と、摺動部２０と、自動ロック装置と、ネジロック装置４０と、刃５０とを有する。刃物ホルダ１０は、刃物ホルダ内に定められ、且つ２つの内側端部を有するガイドチャネル１１を備える。その内側端部のうちの少なくとも１つに沿って複数の係合歯１２が一列に並べられる。摺動部２０は、ガイドチャネル１１に対して刃物ホルダ１０上に、摺動可能に装着される。自動ロック装置は摺動部２０上に装着され、且つ係合歯１２のうちの少なくとも１つに選択的に係合される弾性部材を有する。ネジロック装置４０は、摺動部２０上に装着され、且つそのネジロック装置４０と摺動部２０との間には相対移動間隔がある。刃５０は刃物ホルダ１０内に摺動可能に装着され、且つ摺動部２０に連結される。【選択図】図１
0003190165.tif 000002
【実用新案登録請求の範囲】
【請求項１】
２つの内側端部を有するガイドチャネルを有し、この内側端部のうちの少なくとも１つに沿って複数の係合歯が一列に並べられている刃物ホルダと、
上記刃物ホルダの上記ガイドチャネルに対して摺動可能に装着される摺動部と、
この摺動部に装着され、且つ上記係合歯のうちの少なくとも１つに選択的に係合される弾性部材を有する自動ロック装置と、
この摺動部に装着され、且つこの摺動部との間に相対移動間隔があるネジロック装置と、
上記刃物ホルダ内に摺動可能に装着され、且つ上記摺動部に連結される刃と
を備えるカッターアセンブリ。
【請求項２】
上記摺動部が、上側摺動部材と下側摺動部材とを備え、
上記自動ロック装置が、この下側摺動部材に装着されており、且つ
押圧凹部が、上記上側摺動部材内に配設されて上記自動ロック装置を押圧する請求項１に記載のカッターアセンブリ。
【請求項３】
上記ネジロック装置が、上記上側摺動部材に回転可能に装着され、且つ上記下側摺動部材に対して摺動可能であり、上記下側摺動部材との間に相対移動間隔があるロックボルトと、このロックボルトに螺合するロックタブとを備える請求項２に記載のカッターアセンブリ。
【請求項４】
上記ロックボルトが、ヘッドと、このヘッドに連結するネジ切棒とを備え、
上記下側摺動部材が、細長スロットを有し、この中に上記ロックボルトのネジ切棒が摺動可能に伸長され、
上記ロックタブが、上記下側摺動部材内に装着され、且つ上記ロックボルトのネジ切棒と螺合するネジ切穴を有する請求項３に記載のカッターアセンブリ。
【請求項５】
上記ネジロック装置が、上記上側摺動部材に回転可能に装着され、且つ上記下側摺動部材に対して摺動可能であり、上記下側摺動部材との間に相対移動間隔があるロックボルトと、上記上側摺動部材内にしっかりと装着され、且つ上記ロックボルトと螺合するナットとを備える請求項２に記載のカッターアセンブリ。
【請求項６】
上記上側摺動部材が、底面側から突出される受けチューブをさらに備え、この受けチューブ内部に上記ナットが保持される請求項５に記載のカッターアセンブリ。
【請求項７】
上記ロックボルトが、ヘッドと、このヘッドに連結するネジ切棒とを備え、
上記下側摺動部材が、細長スロットを有し、この中に上記ロックボルトのネジ切棒が摺動可能に伸長され、且つ
上記受けチューブ及び上記ナットが、上記下側摺動部材の細長スロット内に摺動可能に保持される請求項６に記載のカッターアセンブリ。
【請求項８】
上記ネジロック装置が、上記上側摺動部材に回転可能に装着され、且つ上記下側摺動部材に対して摺動可能であり、上記下側摺動部材との間に相対移動間隔があるロックボルトと、上記上側摺動部材に連結され、上記ロックボルトと螺合するナットとを備える請求項２に記載のカッターアセンブリ。
【請求項９】
上記ネジロック装置が、上記上側摺動部材と結合して上記下側摺動部材を締付ける締付部材をさらに有し、
上記ナットが、この締付部材内に装着される請求項８に記載のカッターアセンブリ。
【請求項１０】
上記締付部材が、底面に形成され、且つ上記下側摺動部材の底面に当接して上記下側摺動部材を締付ける締付フランジを有する請求項９に記載のカッターアセンブリ。
【請求項１１】
上記ロックボルトが、ヘッドと、このヘッドに連結するネジ切棒とを備え、
上記下側摺動部材が、細長スロットを有し、この中に上記ロックボルトのネジ切棒が摺動可能に伸長され、且つ
上記締付部材及び上記ナットが、上記下側摺動部材の細長スロット内に摺動可能に保持される請求項１０に記載のカッターアセンブリ。
【請求項１２】
上記ロックボルトのヘッドが、上記上側摺動部材に対向する側に形成され、且つ円形に並んだ複数の音発生歯を有し、
上記上側摺動部材が、上記ロックボルトのヘッドに当接し、且つ上記音発生歯の１つと係合される端部を有する音発生タブをさらに備える請求項４、７及び１１のいずれか１項に記載のカッターアセンブリ。
【請求項１３】
上記ネジロック装置が、上記上側摺動部材に回転可能に装着され、且つ上記上側摺動部材に対して摺動可能であり、上記上側摺動部材との間に相対移動間隔があるロックボルトと、このロックボルトに螺合するロックタブとを備える請求項２に記載のカッターアセンブリ。
【請求項１４】
上記ロックボルトが、ヘッドと、このヘッドに連結するネジ切棒とを備え、
上記上側摺動部材が、上記ロックボルトのネジ切棒が摺動可能に伸長される細長スロットと、上記上側摺動部材内に形成され、且つ上記ロックボルトのヘッドの直径よりも大きい長さを有する摺動空間とを有し、
上記ロックボルトのヘッドが、この摺動空間内に摺動可能に保持され、
上記ロックタブが、上記下側摺動部材内に装着され、且つ上記ロックボルトのネジ切棒と螺合するネジ切穴を有する請求項１３に記載のカッターアセンブリ。
【請求項１５】
上記ロックボルトのヘッドが、上記上側摺動部材に対向する側に形成され、且つ円形に並んだ複数の音発生歯を有し、
上記下側摺動部材が、上記細長スロット及び上記摺動空間を通って伸長され、上記ロックボルトのヘッドに当接し、且つ上記音発生歯の１つと係合される端部を有する音発生タブをさらに備える請求項１４に記載のカッターアセンブリ。
【請求項１６】
上記摺動部に装着されて上記ネジロック装置を覆う保護キャップをさらに備える請求項１から請求項１５のいずれか１項に記載のカッターアセンブリ。
【請求項１７】
上記摺動部が、２つの結合穴を有し、
上記保護キャップが、Ｕ字形状であって、上記摺動部の結合穴の中にそれぞれ挿入される２つの端部を有する請求項１６に記載のカッターアセンブリ。
【請求項１８】
上記摺動部が、２つの結合穴を有し、
上記保護キャップがタブであり、且つ２つの端部と、この端部上の上記摺動部に対向する面にそれぞれ形成される２つのフックとを有し、このフックが上記摺動部の２つの結合穴にそれぞれ係合される請求項１６に記載のカッターアセンブリ。
【考案の詳細な説明】
【技術分野】
【０００１】
本考案は、カッターアセンブリに関し、より具体的には２つのロック装置を有するカッターアセンブリに関する。
【背景技術】
【０００２】
格納式のカッターは実質的に、刃物ホルダと、刃と、摺動部とを備える。この摺動部は、刃物ホルダ上に装着される。この刃は、刃物ホルダ内に摺動可能に装着され、そして摺動部に連結される。摺動部が押されると、刃は刃物ホルダに対して動いて刃物ホルダの外に伸び、このカッターにより使用者が目的物を切断することが可能となる。刃物ホルダに対して所望の長さで、所望の位置にて刃を保持して使用するために、ロック装置が摺動部上に装着される。この従来のロック装置には、自動ロック装置及びネジロック装置の、異なる２つのタイプがある。この従来の自動ロック装置は実質的に、係合ブロックと、バネとを備える。複数の係合歯が刃物ホルダ上に形成されて一列に並べられ、そして選択的に係合ブロックと係合する。摺動部が押されると、この係合ブロックは係合歯の１つから脱係合され、刃物ホルダに対して刃を動かすことが可能となる。刃が所望の位置に動かされると、バネによりもたらされる力によって係合ブロックは係合歯の１つと係合することになる。こうして、刃物ホルダに対して所望の長さで、刃を定位することができる。或いは、従来の自動ロック装置は、単一の弾性タブを備えていてもよい。
【０００３】
上記従来のネジロック装置は、摺動部上に装着されたボルトを実質的に備える。このボルトが回転されて刃物ホルダの内面にボルトが終端で当接されると、摺動部を刃物ホルダに対して定位できる。このボルトが解放されると、刃物ホルダに対して刃の長さを調整するよう、摺動部が刃物ホルダに対して可動になる。
【０００４】
しかしながら従来の自動ロック装置は、使い勝手はよいものの、刃物ホルダ内での係合歯と係合ブロックとの間の係合力が十分でない。それゆえ、従来の自動ロック装置を有するカッターは紙などの薄い目的物にしか適用できず、厚みのある目的物を切断するのには適用できない。加えて、従来のネジロック装置を有するカッターは、厚みのある目的物を切断するために十分なロック力を刃にもたらすことはできるものの、このネジロック装置は、刃の長さを調整する際にその都度ロックをはずし、再度ロックをするために回転されなければならない。このため、従来のネジロック装置は使い勝手が良いとはいえない。
【０００５】
上記の欠点を解消するために、本考案は上述の問題を軽減又は排除するカッターアセンブリを提供するのに役立つものである。
【考案の概要】
【考案が解決しようとする課題】
【０００６】
本考案は、カッターアセンブリが２つのロック装置を有することで自動ロックとネジロックとの、二重のロック効果が成し遂げられ、その使い勝手が高められる、カッターアセンブリを提供することを主な目的とする。
【課題を解決するための手段】
【０００７】
本考案に係るカッターアセンブリは、刃物ホルダと、摺動部と、自動ロック装置と、ネジロック装置と、刃とを有する。刃物ホルダは、２つの内側端部を有するガイドチャネルを備える。その内側端部のうちの少なくとも１つに沿って複数の係合歯が一列に並べられる。摺動部は、刃物ホルダのガイドチャネルに対して摺動可能に装着される。自動ロック装置は摺動部に装着され、且つ係合歯のうちの少なくとも１つに選択的に係合される弾性部材を有する。ネジロック装置は、摺動部に装着され、且つ摺動部との間には相対移動間隔が形成される。刃は刃物ホルダ内に摺動可能に装着され、且つ摺動部に連結される。
【０００８】
このような配置により、カッターアセンブリは自動ロック効果とネジロック効果とを同時に備える。使用者は、異なる操作目的に基づき所望の位置に刃を保持するよう、異なるロック効果を選択できる。例えば、紙又は薄い目的物を切断するためにカッターアセンブリを適用する場合、自動ロック効果が選択される。厚みのある目的物を切断するのには、ネジロック効果が選択される。このように、本考案に係るカッターアセンブリは、使い勝手がよく汎用性がある。
【０００９】
本考案の他の目的、利点及び新規な特徴は、添付の図面と合わせて考察すれば以下の詳細な説明からより明らかになるであろう。
【図面の簡単な説明】
【００１０】
【図１】本考案に係るカッターアセンブリの第一実施形態を示す斜視図である。
【図２】図１のカッターアセンブリの、摺動部、刃、ネジロック装置及び保護キャップを示す拡大分解斜視図である。
【図３】図１のカッターアセンブリの一部断面を含む拡大平面図である。
【図４】図３のカッターアセンブリの４−４線に沿った側面断面図である。
【図５】図４のカッターアセンブリの作動側断面図である。
【図６】本考案に係るカッターアセンブリの第二実施形態を示す斜視図である。
【図７】図６のカッターアセンブリの、摺動部、刃、ネジロック装置及び保護キャップを示す拡大分解斜視図である。
【図８】図６のカッターアセンブリの一部断面を含む拡大平面図である。
【図９】図８のカッターアセンブリの９−９線に沿った側面断面図である。
【図１０】図６のカッターアセンブリの保護キャップを外した状態を示す拡大側面図である。
【図１１】図１０のカッターアセンブリの作動側面図である。
【図１２】本考案に係るカッターアセンブリの、摺動部、ネジロック装置及び保護キャップの第三実施形態を示す分解斜視図である。
【図１３】図１２のカッターアセンブリの側面断面図である。
【図１４】本考案に係るカッターアセンブリの、摺動部、ネジロック装置及び保護キャップの第四実施形態を示す分解斜視図である。
【図１５】図１４のカッターアセンブリの側面断面図である。
【考案を実施するための形態】
【００１１】
図１〜４に示すように、本考案に係るカッターアセンブリは、刃物ホルダ１０と、摺動部２０と、自動ロック装置３０と、ネジロック装置４０と、刃５０とを備える。
【００１２】
上記刃物ホルダ１０は、ガイドチャネル１１と、金属基材１４とを備える。このガイドチャネル１１は、刃物ホルダ１０内に定められ、且つ２つの内側端部を有する。この金属基材１４は、上記ガイドチャネル１１と対向する側に形成され、このガイドチャネル１１の内側端部のうちの少なくとも１つに沿って一列に並べられる複数の係合歯１２を有する。
【００１３】
上記摺動部２０は、ガイドチャネル１１に対して刃物ホルダ１０上に摺動可能に装着され、且つ上側摺動部材２２と、下側摺動部材２４とを備える。
【００１４】
上記自動ロック装置３０は、摺動部２０に装着され、且つ係合歯１２のうちの少なくとも１つと選択的に係合される弾性部材を有する。第一実施形態において、この弾性部材は、係合ブロック３２と、バネ３４とを備える。この係合ブロック３２は、摺動部２０の下側摺動部材２４上に格納式に装着され、且つ刃物ホルダ１０の係合歯１２と選択的に係合される。上記バネ３４は、係合ブロック３２に終端で当接して、係合歯１２の１つと係合する力を係合ブロック３２に与える。或いは、上記弾性部材は、係合歯１２のうち２つとそれぞれ係合する２つの屈曲端部を有する単一の弾性タブであってもよい。加えて、上記上側摺動部材２２は、上側摺動部材２２内に配設され、且つ各々傾斜面が設けられた２つの端部を有して弾性部材の係合ブロック３２又は弾性タブの屈曲端部を押圧する押圧凹部２２２を有する。上記自動ロック装置３０及び上側摺動部材２２内の押圧凹部２２２は、従来通りでよく、それらの詳細な説明は省略する。
【００１５】
上記ネジロック装置４０は、摺動部２０に装着され、且つそのネジロック装置４０と摺動部２０との間には相対移動間隔がある。このネジロック装置４０は、互いに螺合するロックボルト４２と、ロックタブ４４とを備える。このロックボルト４２は、上側摺動部材２２に回転可能に装着され、上側摺動部材２２に対しては可動でなく、且つ下側摺動部材２４に対して摺動可能でロックボルト４２と下側摺動部材２４との間に相対移動間隔がある。このロックボルト４２は、ヘッド４２２と、このヘッド４２２に連結するネジ切棒４２４とを備える。このネジ切棒４２４は、摺動部２０を通って伸長し、且つ金属基材１４の内面に選択的に終端で当接する。下側摺動部材２４は細長スロット２４２を有し、この中にロックボルト４２のネジ切棒４２４が摺動可能に伸長する。第一実施形態において、ロックタブ４４は下側摺動部材２４内に装着される。また、ロックタブ４４は、ロックタブ４４内に形成されロックボルト４２のネジ切棒４２４と螺合するネジ切穴４４２を有する。ロックタブ４４は下側摺動部材２４に対して摺動可能であるので、ロックボルト４２は上側摺動部材２２と共に下側摺動部材２４に対して動くことができる。
【００１６】
加えて、保護キャップ６０が上側摺動部材２２上に装着される。この保護キャップ６０は、ロックボルト４２のヘッド４２２を覆う。この保護キャップ６０は、Ｕ字形状であってよく、そして摺動部２０の上側摺動部材２２内に定められる２つの結合穴２２４の中にそれぞれ挿入される２つの端部を有する。このロックボルト４２のヘッド４２２を越えるように装着された保護キャップ６０で、ロックボルト４２が意図せず回転されるのを防ぐことができる。
【００１７】
また、ロックボルト４２のヘッド４２２は、上側摺動部材２２に対向する側に形成され且つ円形に並んだ、複数の音発生歯４２６をさらに有する。この上側摺動部材２２は、ロックボルト４２のヘッド４２２の音発生歯４２６の１つに当接して係合される端部を具備する音発生タブ２６をさらに有する。ロックボルト４２が回転していると、その音発生タブ２６と音発生歯４２６との間の当接及び係合によって音が発生されることになる。加えて、音発生タブ２６と音発生歯４２６の１つとの間の係合で、定位効果をロックボルト４２にもたらし、ロックボルト４２が意図せず回転するのを防ぐことができる。
【００１８】
刃５０は、刃物ホルダ１０内に摺動可能に装着され、且つ刃５０が摺動部２０と共に、刃物ホルダ１０に対して動くことができるように、摺動部２０の下側摺動部材２４に連結される。
【００１９】
図３〜５に示すように、紙又は薄い目的物を切断するのに、ロックボルト４２は金属基材１４の内面に当接せず、金属基材１４の内面から離間している。自動ロック装置３０と刃物ホルダ１０上の係合歯１２との間の係合で、自動ロック効果を刃５０にもたらすことができる。上側摺動部材２２を使用者が押すと、ロックボルト４２は上側摺動部材２２と共に、下側摺動部材２４内の細長スロット２４２に対して動くことができる。こうして、ロックボルト４２は下側摺動部材２４に対して動いてその間に相対移動間隔を形成することができ、且つ上側摺動部材２２は押されて動くことができる。このとき、自動ロック装置３０の係合ブロック３２又は弾性タブは、上側摺動部材２２内の押圧凹部２２２によって押されることができ、そして対応する係合歯１２から脱係合する。その結果、摺動部２０及び刃５０は刃物ホルダ１０に対して動かされることができ、刃物ホルダ１０に対する刃５０の長さ及び位置を調整できる。自動ロック装置３０は、刃５０に自動ロック効果をもたらすことができる。
【００２０】
厚みのある目的物を切断するのに、ロックボルト４２を回転させてロックボルト４２のネジ切棒４２４を金属基材１４の内面に終端で当接させる。すると、摺動部２０及び刃５０を刃物ホルダ１０に対して所望の位置に、しっかりと保持されることができる。こうして、大きな力での切断プロセスに適合するための確実なロック効果がもたらされる。
【００２１】
ロックボルト４２と下側摺動部材２４との間の相対的な移動で、上側摺動部材２２が押されて動くと、ロックボルト４２により上側摺動部材２２が機能しなくなってしまうのを防ぐことができる。このような配置で、自動ロック装置３０とネジロック装置４０とを摺動部２０上に同時に装着でき、二重のロック効果がもたらされる。
【００２２】
図６〜１０に示すように、本考案に係るカッターアセンブリの第二実施形態で、第二実施形態の構造的配置は、上側摺動部材２２Ａに対してネジロック装置４０Ａの相対移動間隔があり、且つ下側摺動部材２４Ａに対して摺動可能ではないことを除いて、第一実施形態における構造的配置と同様である。この上側摺動部材２２Ａは、細長スロット２２６を有し、この中にロックボルト４２Ａのネジ切棒４２４Ａが摺動可能に伸長する。上側摺動部材２２Ａは、上側摺動部材２２Ａ内、且つ細長スロット２２６に隣接して形成された摺動空間２２８をさらに有する。摺動空間２２８の長さは、ロックボルト４２Ａのヘッド４２２Ａの直径よりも大きい。このロックボルト４２Ａのヘッド４２２Ａは、摺動空間２２８内に摺動可能に保持される。ロックタブ４４Ａは、下側摺動部材２４Ａ内にしっかりと装着される。このような配置で、ロックボルト４２Ａは、下側摺動部材２４Ａ内にしっかりと装着されたロックタブ４４Ａと結合され、従ってこのロックボルト４２Ａは、上側摺動部材２２Ａが押されて動いた場合に上側摺動部材２２Ａ及び保護キャップ６０Ａと共に動くことがない。加えて、音発生タブ２６Ａは、下側摺動部材２４Ａ上に装着され、そして細長スロット２２６及び摺動空間２２８を通って伸長し、ロックボルト４２Ａ上の、音発生歯４２６Ａの１つと係合する。さらに、保護キャップ６０Ａはタブであってもよく、且つ２つの端部と、その保護キャップ６０Ａの端部上の上側摺動部材２２Ａに対向する面にそれぞれ形成される２つのフック６２とを有し、そしてこのフック６２は、上側摺動部材２２Ａ内に形成される２つの結合穴２２４Ａにそれぞれ係合する。
【００２３】
上側摺動部材２２Ａが押されると、図９及び１１に示すように、摺動空間２２８の長さはロックボルト４２Ａのヘッド４２２Ａの直径よりも大きく、且つロックボルト４２Ａのヘッド４２２Ａは細長スロット２２６に対して摺動可能であるので、ロックボルト４２Ａには上側摺動部材２２Ａに対して相対移動間隔がある。このため一時的に、ロックボルト４２Ａが上側摺動部材２２Ａと共に動かないようになる。上側摺動部材２２Ａが、自動ロック装置３０の係合ブロック３２又は弾性タブが上側摺動部材２２Ａ内の押圧凹部２２２Ａによって押される位置に動き、そして刃物ホルダ１０上の対応する係合歯１２から脱係合すると、上側摺動部材２２Ａはロックボルト４２Ａのヘッド４２２Ａの終端で当接することになる。その結果、ロックボルト４２Ａ及び下側摺動部材２４Ａは上側摺動部材２２Ａと共に動くことになり、そして刃物ホルダ１０に対する刃５０の長さ及び位置が調整される。上側摺動部材２２Ａとロックボルト４２Ａとの間の相対的な移動で、上側摺動部材２２Ａが押されて動くとロックボルト４２Ａにより上側摺動部材２２Ａが機能しなくなってしまうのを防ぐことができる。
【００２４】
図１２及び１３に示すように、本考案に係るカッターアセンブリの第三実施形態で、第三実施形態の構造は第一実施形態の構造と同様であるが、摺動部２０Ｂの構造は第一実施形態の構造とわずかに異なっている。このネジロック装置４０Ｂには下側摺動部材２４Ｂに対して相対移動間隔があり、且つ上側摺動部材２２Ｂ内にしっかりと装着され、ロックボルト４２Ｂと螺合するナット４６を備える。上側摺動部材２２Ｂは、上側摺動部材２２Ｂの底面上に形成され上側摺動部材２２Ｂから突出している受けチューブ２３をさらに有し、その受けチューブ２３内部にナット４６を保持している。受けチューブ２３及びナット４６は、下側摺動部材２４Ｂ内の細長スロット２４２Ｂ内に摺動可能に保持される。第三実施形態の作動は第一実施形態の作動と同様であり、詳細な説明は省略する。
【００２５】
図１４及び１５に示すように、本考案に係るカッターアセンブリの第四実施形態で、第四実施形態の構造は第三実施形態の構造と同様である。ネジロック装置４０Ｃには、下側摺動部材２４Ｃに対して相対移動間隔がある。ネジロック装置４０Ｃのナット４６Ｃは、締付部材４８内に装着され、そしてロックボルト４２Ｃと螺合する。この締付部材４８で、ナット４６Ｃは上側摺動部材２２Ｃと連結される。締付部材４８は上側摺動部材２２Ｃと結合して下側摺動部材２４Ｃを締付ける。この締付部材４８は、締付部材４８の底面に形成され、且つ下側摺動部材２４Ｃの底面に終端で当接して下側摺動部材２４Ｃを締付ける締付フランジ４８２を有する。締付部材４８及びナット４６Ｃは、下側摺動部材２４Ｃの細長スロット２４２Ｃ内に摺動可能に保持される。下側摺動部材２４Ｃを締付ける締付部材４８と上側摺動部材２２Ｃとの間の結合で、摺動部２０Ｃの構造的強度は増強され、ロックボルト４２Ｃが非常に強い力で金属基材１４と終端で当接する場合に、上位及び下側摺動部材２２Ｃ、２４Ｃが互いに意図せず脱離するのを防ぐことができる。摺動部２０Ｃの構造の安定性は向上する。第四実施形態の作動は第三実施形態の作動と同様であり、詳細な説明を省略する。
【００２６】
ネジロック装置４０、４０Ａ、４０Ｂ、４０Ｃと、摺動部２０、２０Ａ、２０Ｂ、２０Ｃとの間の相対的な移動で、摺動部２０、２０Ａ、２０Ｂ、２０Ｃが押されて動くとロックボルト４２、４２Ａ、４２Ｂ、４２Ｃにより摺動部２０、２０Ａ、２０Ｂ、２０Ｃが機能しなくなってしまうのを防ぐことができる。自動ロックとネジロックとの、二重のロック効果が成し遂げられ、このため本考案に係るカッターアセンブリは、異なる操作ニーズに対して適用できる。自動ロック装置３０又はネジロック装置４０、４０Ａ、４０Ｂ、４０Ｃによってもたらされるロック効果で、刃５０は刃物ホルダ１０に対する位置に保持されることができ、そしてその使用者は、異なる操作目的に基づき異なるロック効果を選択でき、このため本考案に係るカッターアセンブリには汎用性があり使い勝手がよい。
【００２７】
本考案の構造及び機能の詳細と共に本考案の多くの特徴及び利点を上記の説明の中で示してきたが、本開示は例示にすぎない。添付の実用新案登録請求の範囲を表現する用語の広い一般的な意味が示す全範囲に及ぶ本考案の技術思想の範囲内で、要部において、とりわけ各部の形状、サイズ及び配置に関して変更が加えられてもよい。
【符号の説明】
【００２８】
１０  刃物ホルダ
１１  ガイドチャネル
１２  係合歯
１４  金属基材
２０、２０Ａ、２０Ｂ、２０Ｃ  摺動部
２２、２２Ａ、２２Ｂ、２２Ｃ  上側摺動部材
２４、２４Ａ、２４Ｂ、２４Ｃ  下側摺動部材
２６、２６Ａ  音発生タブ
３０  自動ロック装置
３２  係合ブロック
３４  バネ
４０、４０Ａ、４０Ｂ、４０Ｃ  ネジロック装置
４２、４２Ａ、４２Ｂ、４２Ｃ  ロックボルト
４６、４６Ｃ  ナット
４４、４４Ａ  ロックタブ
４８  締付部材
５０  刃
６０、６０Ａ  保護キャップ
６２  フック
２２２、２２２Ａ  押圧凹部
２２４、２２４Ａ  結合穴
２２６  細長スロット
２２８  摺動空間
２４２、２４２Ｂ  細長スロット
４２２、４２２Ａ  ヘッド
４２４、４２４Ａ  ネジ切棒
４２６、４２６Ａ  音発生歯
４４２  ネジ切穴
４８２  締付フランジ
【図１】
0003190165.tif 000003
【図２】
0003190165.tif 000004
【図３】
0003190165.tif 000005
【図４】
0003190165.tif 000006
【図５】
0003190165.tif 000007
【図６】
0003190165.tif 000008
【図７】
0003190165.tif 000009
【図８】
0003190165.tif 000010
【図９】
0003190165.tif 000011
【図１０】
0003190165.tif 000012
【図１１】
0003190165.tif 000013
【図１２】
0003190165.tif 000014
【図１３】
0003190165.tif 000015
【図１４】
0003190165.tif 000016
【図１５】
0003190165.tif 000017